(57)【要約】【課題】コモン無線リソースをシェアする多重無線通信技術に関連するチャネル活性を制御する方法およびそれを用いた装置を提供する。【解決手段】コモン無線リソースをシェアする複数の加入者識別モジュール(ＳＩＭ)により用いられる複数の無線通信技術をサポートする無線通信装置が提供される。無線通信装置は、無線通信装置が移動する新しいエリアを検出するプロセッサ論理、新しいエリアでサポートされない少なくともひとつの無線通信技術を決定するプロセッサ論理、および、未対応の無線通信技術に関連するチャネル活性を失活させ、未対応の無線通信技術に、正常なサービス回復を実行するのを回避するプロセッサ論理と、を含む。【選択図】図１
2015008505.tif 000002
【特許請求の範囲】
【請求項１】
コモン無線リソースをシェアする複数の加入者識別モジュール(ＳＩＭ)により用いられる複数の無線通信技術をサポートする無線通信装置であって、各ＳＩＭに複数の無線通信技術及び関連するチャネル活性が対応付けられ、
前記無線通信装置が移動する新しいエリアを検出するプロセッサ論理と、
前記新しいエリアでサポートされない少なくともひとつの前記無線通信技術を決定するプロセッサ論理、および、
前記ＳＩＭに対し、前記未対応（サポートされない）の無線通信技術に関連するチャネル活性を失活させて、前記未対応の無線通信技術に、正常なサービス回復を実行するのを回避するプロセッサ論理と、
を含むことを特徴とする装置。
【請求項２】
さらに、プロセッサ論理を含み、サービスネットワークのセルで放送されるシステム情報から、第一エリアコードを得て、前記第一エリアコードが、ストレージユニットに保存される第二エリアコードと異なる時、前記無線通信装置が前記新しいエリアで移動すると判断し、前記無線通信装置が、電源がオフになるまたは飛行モードに切り換わる前に留まる領域を示すことを特徴とする請求項１に記載の無線通信装置。
【請求項３】
前記新しいエリアは新しい国を示し、前記第一および第二エリアコードはモービル国別コードであることを特徴とする請求項２に記載の無線通信装置。
【請求項４】
さらに、ストレージユニットを含み、異なるエリアで、未対応の無線通信技術を記述する表を保存し、前記新しいエリア中の前記未対応の無線通信技術は、前記表を確認することにより決定されることを特徴とする請求項１に記載の無線通信装置。
【請求項５】
さらに、プロセッサ論理を含み、前記未対応の無線通信技術を用いて、可能なサービスネットワークに、ネットワークリカバリーサーチを周期的に実行し、前記ネットワークリカバリーサーチの結果に従って、前記表を更新することを特徴とする請求項４に記載の無線通信装置。
【請求項６】
さらに、プロセッサ論理を含み、前記ＳＩＭにより用いられる全無線通信技術が前記新しいエリアでサポートされない時、一ＳＩＭに対し、全チャネル活性を無効にし、前記ＳＩＭとの通信を停止することを特徴とする請求項１に記載の無線通信装置。
【請求項７】
コモン無線リソースをシェアする複数の加入者識別モジュール(ＳＩＭ)により用いられる複数の無線通信技術をサポートする無線通信装置であって、各ＳＩＭに複数の無線通信技術及び関連するチャネル活性が対応付けられ、
前記無線通信装置が、第一領域と第二領域間の境界にあることを検出するプロセッサ論理と、
前記第一領域でサポートされないが、前記第二領域でサポートされる少なくともひとつの前記無線通信技術を決定するプロセッサ論理、および
前記決定された無線通信技術に関連するチャネル活性を活性化させるプロセッサ論理、
を含むことを特徴とする装置。
【請求項８】
さらに、
前記無線通信装置が前記第二領域に進入し、前記境界から離れることを検出するプロセッサ論理と、
前記第二領域でサポートされない少なくともひとつの前記無線通信技術を決定するプロセッサ論理、および
前記ＳＩＭに対し、前記未対応の無線通信技術に関連するチャネル活性を失活させて、前記未対応の無線通信技術に、正常なサービス回復を実行するのを回避するプロセッサ論理と、
を含むことを特徴とする請求項７に記載の無線通信装置。
【請求項９】
さらに、プロセッサ論理を含み、一セルで放送されるシステム情報から、第二エリアコードを得て、前記第二エリアコードが、ストレージユニットに保存される第一エリアコードと異なる時、前記無線通信装置が境界にあると判断し、前記無線通信装置が現在進入する前記第一領域を示すことを特徴とする請求項７に記載の無線通信装置。
【請求項１０】
さらに、プロセッサ論理を含み、第一セルで放送されるシステム情報から、第一エリアコード、第二セルで放送されるシステム情報から、第二エリアコードを得て、前記第一および第二エリアコードが異なるとき、前記無線通信装置が前記境界にあると判断することを特徴とする請求項７に記載の無線通信装置。
【請求項１１】
前記第一領域は第一国家を示し、前記第二領域は第二国家を示すことを特徴とする請求項８に記載の無線通信装置。
【請求項１２】
さらに、ストレージユニットを含み、異なるエリアで、サポートされるおよび未対応の無線通信技術を記述する表を保存し、前記第二領域中、前記未対応およびサポートされる無線通信技術は、前記表を確認することにより決定されることを特徴とする請求項８に記載の無線通信装置。
【請求項１３】
さらに、プロセッサ論理を含み、前記ＳＩＭにより用いられる全無線通信技術が前記第二領域でサポートされない時、一ＳＩＭに対し、全チャネル活性を無効にして、前記ＳＩＭとの通信を停止することを特徴とする請求項８に記載の無線通信装置。
【請求項１４】
コモン無線リソースをシェアする複数の加入者識別モジュール(ＳＩＭ)により用いられる複数の無線通信技術と関連するチャネル活性を制御する方法であって、各ＳＩＭに複数の無線通信技術及び関連するチャネル活性が対応付けられ、
無線通信装置が移動する新しいエリアを検出する工程と、
前記新しいエリアでサポートされない少なくともひとつの前記無線通信技術を決定する工程と、
前記ＳＩＭに対し、通信技術に関連するチャネル活性を失活させて、正常なサービス回復を、前記未対応の無線通信技術に実行するのを回避する工程と、
を含むことを特徴とする方法。
【請求項１５】
さらに、
サービスネットワークの一セルで放送されるシステム情報から、第一エリアコードを得る工程と、
前記第一エリアコードが、ストレージユニットに保存される第二エリアコードと異なる時、前記無線通信装置が前記新しいエリアで移動すると判断し、前記無線通信装置が、電源がオフになるまたは飛行モードに切り換わる前に留まる領域を示す工程と、
を含むことを特徴とする請求項１４に記載の方法。
【請求項１６】
前記新しいエリアは新しい国を示し、前記第一および第二エリアコードはモービル国別コードであることを特徴とする請求項１５に記載の方法。
【請求項１７】
前記無線通信装置はストレージユニットを含み、異なるエリアで、未対応の無線通信技術を記述する表を保存し、前記新しいエリア中の前記未対応の無線通信技術は、前記表を確認することにより決定されることを特徴とする請求項１４に記載の方法。
【請求項１８】
さらに、
前記未対応の無線通信技術を用いて、可能なサービスネットワークに、ネットワークリカバリーサーチを周期的に実行する工程と、
前記ネットワークリカバリーサーチの結果に従って、前記表を更新する工程と、
を含むことを特徴とする請求項１７に記載の方法。
【請求項１９】
さらに、前記ＳＩＭにより用いられる全無線通信技術が前記新しいエリアでサポートされない時、一ＳＩＭに対し、全チャネル活性を無効にし、前記ＳＩＭとの通信を停止する工程を含むことを特徴とする請求項１４に記載の方法。
【請求項２０】
コモン無線リソースをシェアする複数の加入者識別モジュール(ＳＩＭ)により用いられる複数の無線通信技術に関連するチャネル活性を制御する方法であって、各ＳＩＭに複数の無線通信技術及び関連するチャネル活性が対応付けられ、
無線通信装置が第一領域と第二領域間の境界にあることを検出する工程と、
前記第一領域でサポートされないが、前記第二領域でサポートされる少なくともひとつの前記無線通信技術を決定する工程と、
前記決定された無線通信技術に関連するチャネル活性を活性化させる工程と、
を含むことを特徴とする方法。
【請求項２１】
さらに、
前記無線通信装置が前記第二領域に進入し、前記境界から離れることを検出する工程と、
前記第二領域でサポートされない少なくともひとつの前記無線通信技術を決定する工程と、
前記ＳＩＭに対し、前記未対応の無線通信技術に関連するチャネル活性を失活させて、前記未対応の無線通信技術に、正常なサービス回復を実行するのを回避する工程と、
を含むことを特徴とする請求項２０に記載の方法。
【請求項２２】
さらに、
一セルで放送されるシステム情報から、第二エリアコードを得る工程、および
前記第二エリアコードが、ストレージユニットに保存される第一エリアコードと異なる時、前記無線通信装置が前記境界にあると判断し、前記無線通信装置が現在進入する前記第一領域を示す工程と、
を含むことを特徴とする請求項２０に記載の方法。
【請求項２３】
さらに、
第一セルで放送されるシステム情報から、第一エリアコード、第二セルで放送されるシステム情報から、第二エリアコードを得る工程と、
前記第一および第二エリアコードが異なるとき、前記無線通信装置が前記境界にあると判断する工程と、
を含むことを特徴とする請求項２０に記載の方法。
【請求項２４】
前記第一領域は第一国家を示し、前記第二領域は第二国家を示すことを特徴とする請求項２１に記載の方法。
【請求項２５】
前記無線通信装置はストレージユニットを含み、異なるエリアで、サポートされるおよび未対応の無線通信技術を記述する表を保存し、前記第二領域中の前記未対応およびサポートされる無線通信技術は、前記表を確認することにより決定されることを特徴とする請求項２１に記載の方法。
【請求項２６】
さらに、前記ＳＩＭにより用いられる全無線通信技術が前記第二領域でサポートされない時、一ＳＩＭに対し、全チャネル活性を無効にし、前記ＳＩＭとの通信を停止する工程を含むことを特徴とする請求項２１に記載の方法。
【発明の詳細な説明】
【技術分野】
【０００１】
本発明は、無線操作の制御に関するものであって、特に、コモン無線リソースをシェアする複数の加入者識別モジュール(ＳＩＭ)により用いられる多重無線通信技術と関連するチャネル活性の制御に関するものである。
【背景技術】
【０００２】
ユビキタスコンピューティングとネットワーク作りへの需要の成長に伴い、各種無線通信技術、たとえば、移動通信(ＧＳＭ)技術のグローバルシステム、汎用パケット無線サービス(ＧＰＲＳ)技術、グローバル進化型高速データレート(ＥＤＧＥ)技術、広帯域符号分割多重アクセス方式(ＷＣＤＭＡ)技術、符号分割多重アクセス方式２０００(ＣＤＭＡ２０００)技術、時分割同期符号分割多重接続(ＴＤ-ＳＣＤＭＡ)技術、ワイマックス(ＷｉＭＡＸ)技術の世界的な相互運用、ロングタームエボリューション(ＬＴＥ)技術、ロングタームエボリューション-アドバンスト(ＬＴＥ-Ａ)技術、時分割ＬＴＥ(ＴＤ-ＬＴＥ)技術等が発展している。一般に、携帯電話は、彼らの地理的な位置にかかわらず、一無線通信技術だけをサポートし、サポートされる無線通信技術により、ユーザーに、常に、移動通信のフレキシビリティを提供する。特に、今日のビジネス界では、ビジネスを便利にする携帯電話が必要不可欠なビジネスツールになっている。ビジネス関係者にとって、オフィスの外や都市/国家外にいるとき、ビジネスを行う必要があるので、ビジネス専用の別の携帯電話を持つことは一般的な選択である。また、別の携帯電話を有することは、無線サービス料(電話事業および／またはデータサービスを含む)の経費の節約／制御を行うよい方法である。しかし、携帯電話間の周波数を切り換え、全携帯電話を持ち歩かなければならない時、２個以上の携帯電話を所有することは面倒である。複数の加入者番号を有するのを便利にするため、デュアルカードまたはマルチカード携帯電話が普及し、これらの携帯電話は、２個以上の加入者識別モジュール(ＳＩＭ)をサポートし、且つ、ＳＩＭは、一コモンアンテナ、および、可能なら、コモン単一トランシーバ(またはモデム)をシェアする。オプションでシェアトランシーバを有するシェアアンテナは、まとめて、シェアされる無線リソースと称する。特に、デュアルカードまたはマルチカード携帯電話は、異なる無線通信技術に関連する無線送受信を実行する。
【０００３】
注意すべきことは、デュアルカードまたはマルチカード設計にとって、シェアされる無線リソースを用いることにより、たった一つのＳＩＭが許容されて、同時に、ネットワークリソースを得て、異なるＳＩＭと関連するチャネル活性間の衝突を回避することである。即ち、シェアされる無線リソースを用いることにより、一時に、一ＳＩＭだけが許容されて、ネットワークリソースを得て、別のＳＩＭは、シェアされる無線リソースで制御されない。たとえば、デュアルカード携帯電話が配置されて、時間スロットに対応するある時間周期中、シェアされる無線リソースは、ＳＩＭ１により占有されて、３Ｇ無線通信技術、たとえば、ＷＣＤＭＡ技術、ＣＤＭＡ２０００技術またはＴＤ-ＳＣＤＭＡ技術等に関連するパケット転送モード(ＰＴＭ)、たとえば、マルチメディアメッセージングサービス(ＭＭＳ)、インスタントメッセージサービス(ＩＭＳ)、ファイル転送プロトコル(ＦＴＰ)によるファイル転送、ウェブ閲覧活性等で活性を実行し、時間周期の残り期間中、シェアされる無線リソースは、ＳＩＭ２により占有されて、非サービス状態、たとえば、サービス回復のための公衆陸上移動網(ＰＬＭＮ)サーチ工程で、活性を実行し、および、２Ｇ無線通信技術、たとえば、ＧＳＭ技術、ＧＰＲＳ技術またはＥＤＧＥ技術等に関連するアイドルモード、たとえば、セル再選択のための隣接セルの電力測定等で、活性を実行する。
【０００４】
それにもかかわらず、デュアルカードまたはマルチカード携帯電話が外国、たとえば、日本に運ばれる時、デュアルカードまたはマルチカード設計の問題があり、ＳＩＭ２により用いられる２Ｇ無線通信技術がサポートされない。この状況下で、ＳＩＭ２は、ある時間周期にシェアされる無線リソースを占有し、サービス回復のためのＰＬＭＮサーチ工程を実行するよう周期的に要求するが、外国にある２Ｇ無線通信技術をサポートするサービスネットワークがないので、配置する適当なセルを見つけるのに失敗する。その結果、図１に示されるように、ＳＩＭ１のＰＳデータサービスが過度に中断され、ＳＩＭ１のＰＳデータサービスのスループットが明らかに低下する。或いは、ユーザーが、日本に着いて、デュアルカード携帯電話をオンにし、携帯電話のＳＩＭ１とＳＩＭ２両方が、ＰＬＭＮサーチ工程を実行して、サービス回復しなければならない場合、図２に示されるように、シェアされる無線リソースが、２Ｇサービス回復のために、ＳＩＭ２により要求される事実のため、ＳＩＭ１の３Ｇサービス回復を完成させるのに必要な時間が長引く。デュアルカード携帯電話のバッテリー電源は、不要な２Ｇサービス回復により過度に消耗されるようである。
【発明の概要】
【発明が解決しようとする課題】
【０００５】
本発明は、コモン無線リソースをシェアする多重無線通信技術に関連するチャネル活性を制御する方法およびそれを用いた装置を提供することを目的とする。
【課題を解決するための手段】
【０００６】
本発明は、コモン無線リソースをシェアする複数の加入者識別モジュール(ＳＩＭ)により用いられる複数の無線通信技術に関連するチャネル活性を制御する柔軟な方法を提案する。本発明の第一態様において、コモン無線リソースをシェアする複数のＳＩＭにより用いられる複数の無線通信技術をサポートする無線通信装置が提供される。無線通信装置は、無線通信装置が移動する新しいエリアを検出するプロセッサ論理、新しいエリアでサポートされない少なくともひとつの無線通信技術を決定するプロセッサ論理、および、未対応の無線通信技術に関連するチャネル活性を失活させて、未対応の無線通信技術に正常なサービス回復の実行を回避するプロセッサ論理と、を含む。
【０００７】
本発明の第二態様において、コモン無線リソースをシェアする複数のＳＩＭにより用いられる複数の無線通信技術をサポートする無線通信装置が提供される。無線通信装置は、無線通信装置が、第一領域と第二領域間の境界にあることを検出するプロセッサ論理と、第一領域でサポートされないが第二領域でサポートされる少なくともひとつの無線通信技術を決定するプロセッサ論理、および、決定された無線通信技術に関するチャネル活性を活性化するプロセッサ論理を含む。
【０００８】
本発明の第三態様において、コモン無線リソースをシェアする複数のＳＩＭにより用いられる複数の無線通信技術に関連するチャネル活性を制御する方法が提供される。本方法は、無線通信装置が移動する新しいエリアを検出する工程と、新しいエリアでサポートされない少なくともひとつの無線通信技術を決定する工程と、未対応の無線通信技術に関連するチャネル活性を失活させ、未対応の無線通信技術の正常なサービス回復を実行するのを避ける工程と、を含む。
【０００９】
本発明の第四態様において、コモン無線リソースをシェアする複数のＳＩＭにより用いられる複数の無線通信技術に関連するチャネル活性を制御する方法が提供される。本方法は、無線通信装置が第一領域と第二領域間の境界にあることを検出する工程と、第一領域でサポートされないが、第二領域でサポートされる少なくともひとつの無線通信技術を決定する工程と、決定された無線通信技術に関連するチャネル活性を活性化する工程と、を含む。
【図面の簡単な説明】
【００１０】
【図１】ＳＩＭ２のサービス回復により中断されるＳＩＭ１の進行中のＰＳデータサービスを示す図である。
【図２】ＳＩＭ１の３Ｇサービス回復とＳＩＭ２の２Ｇサービス回復間の協調を示す図である。
【図３】本発明の具体例による無線通信環境を示す図である。
【図４】本発明の具体例によるＭＳのハードウェアアーキテクチャを説明する図である。
【図５】本発明の別の具体例によるＭＳのハードウェアアーキテクチャを説明する図である。
【図６】本発明のさらに又別の具体例によるＭＳのハードウェアアーキテクチャを説明する図である。
【図７Ａ】ＷＣＤＭＡネットワークにおいて、パケット交換(ＰＳ)データサービスを初期化する工程の流れを示す図である。
【図７Ｂ】ＷＣＤＭＡネットワークにおいて、パケット交換(ＰＳ)データサービスを初期化する工程の流れを示す図である。
【図８】本発明の具体例によるＧＳＭ／ＧＰＲＳ／ＥＤＧＥ技術中の２Ｇ ＰＬＭＮサーチ工程の基本操作を示す図である。
【図９】本発明の具体例によるＷＣＤＭＡ技術中の３Ｇ ＰＬＭＮサーチ工程の基本操作を説明する図である。
【図１０Ａ】本発明の具体例によるコモン無線リソースをシェアする複数の無線通信技術に関連するチャネル活性を制御する方法を説明するフローチャートである。
【図１０Ｂ】本発明の具体例によるコモン無線リソースをシェアする複数の無線通信技術に関連するチャネル活性を制御する方法を説明するフローチャートである。
【図１１】本発明の別の具体例によるコモン無線リソースをシェアする複数の無線通信技術に関連するチャネル活性を制御する方法を説明するフローチャートである。
【図１２】本発明の具体例によるＮＳＳ表の定期的更新を説明するフローチャートである。
【発明を実施するための形態】
【００１１】
図３は、本発明の具体例による無線通信環境を示す図である。無線通信環境３００は、移動局(MS)３１０、サービスネットワーク３２０と３３０を含む。ＭＳ３１０は、二個のセル上に位置した後、２個の別々の加入者番号を用いて、サービスネットワーク３２０と３３０と無線で通信する無線通信装置である。サービスネットワーク３２０と３３０は異なる無線通信技術に従う。たとえば、サービスネットワーク３２０と３３０は、それぞれ、ＧＳＭ／ＧＰＲＳ／ＥＤＧＥネットワークとＷＣＤＭＡネットワークで、加入者番号(たとえば、電話番号)が、２個の別々の加入者識別モジュール(ＳＩＭ)カードまたはユニバーサルＳＩＭ(ＵＳＩＭ)カード中に、または、一ＳＩＭマジックカード(すなわち、２個以上の加入者番号を保持するＳＩＭカード)により提供される。ＭＳ３１０は２個以上のソケットを提供し、それぞれ、（Ｕ）ＳＩＭカードが挿入される。同じまたは異なるワイヤレステレフォニーネットワークと通信するため、２個以上のベースバンドモジュールを挿入して、それぞれ、挿入される異なる（Ｕ）ＳＩＭを使用可能にする、または、一ベースバンドモジュールが挿入されて、挿入された全（Ｕ）ＳＩＭカードを使用可能にする。
【００１２】
ＭＳ３１０は、インターネットリソース、たとえば、e-mail伝送、ウェブ閲覧、ファイルアップロード／ダウンロード、インスタントメッセージ、ストリーミングビデオ、ボイスオーバーＩＰ(VoIP)等にワイヤレスでアクセスするか、または、無線通話する。このほか、コンピュータホストまたはノートブックは、ＭＳ３１０に接続／結合され、ワイヤレスで、インターネットリソースにアクセスする。ＭＳ３１０は、各挿入された（Ｕ）ＳＩＭカードのアイドルモードまたは専用のモード(または、接続モードと称する)で操作する。アイドルモードにおいて、ＭＳは、特定のサービスネットワークにより提供されるセルから、よい信号品質のブロードキャストコントロールチャネル(ＢＣＣＨ)をサーチするかまたは測定し、または、特定セルのＢＣＣＨに同期され、専用チャネルを要求するランダムアクセスチャネル（Random Access Channel、ＲＡＣＨ)上で、連続して、ランダムアクセス工程を実行する状態にある。専用のモードにおいて、ＭＳ３１０は物理チャネルを占用し、同期を試み、論理チャネルを構築し、切り換えを実行する。ＭＳ３１０が、ひとつまたはそれ以上の（Ｕ）ＳＩＭカードを備える時、ＭＳ３１０は、各挿入された（Ｕ）ＳＩＭカードのアイドルモードまたは専用のモードで操作する。しかし、ＭＳ３１０が単一のシェアされる無線リソースを備える事実により、一（Ｕ）ＳＩＭカードを用いて、通信が、一時に、サービスネットワーク３２０と３３０のどちらかひとつだけと実行されるのを許容する。たとえば、ＭＳ３１０が、一（Ｕ）ＳＩＭカードを用いて、サービスネットワーク３２０と３３０の一つと、パケット交換(ＰＳ)データサービスの専用のモードで操作する場合、別の（Ｕ）ＳＩＭカードは“仮想アイドル(virtual idle)”モードにあると言われ、時間周期の残り期間、すなわち、ＰＳデータサービスに用いられない時間スロットで、アイドルモード関連活性だけが実行される。
【００１３】
図４は、本発明の具体例によるＭＳのハードウェアアーキテクチャのブロック図である。ＭＳ４００は、ベースバンドチップ４１０およびアンテナ４３０に結合される単一ＲＦモジュール４２０を備えている。ベースバンドチップ４１０は、複数のハードウェア装置を含み、アナログデジタル変換(ＡＤＣ)/デジタルアナログ変換(ＤＡＣ)、利得調整、変調／復調、符号／復号等を含むベースバンド信号処理を実行する。特に、ベースバンドチップ４１０はプロセッサ論理を含み、多重無線通信技術、たとえば、ＧＳＭ／ＧＰＲＳ／ＥＤＧＥ技術、ＷＣＤＭＡ技術、ＣＤＭＡ２０００技術、ＴＤ-ＳＣＤＭＡ技術、ＬＴＥ技術、ＬＴＥ-アドバンスト技術またはＷｉＭＡＸ技術またはそれらの組み合わせに従う無線通信の機能性を提供する。また、ベースバンドチップ４１０は、さらに、プロセッサ論理を含み、本発明で提案されるようなシェアされるアンテナを備える無線通信装置中でサポートされる多重無線通信技術に関連するチャネル活性を制御する方法を提供する。ＲＦモジュール４２０は、アンテナ４３０からＲＦ無線信号を受信し、受信したＲＦ無線信号をベースバンド信号に転換し、その後、ベースバンドチップ４１０により処理されるか、または、ベースバンドチップ４１０からベースバンド信号を受信して、受信されたベースバンド信号をＲＦ無線信号に転換し、後に、アンテナ４３０により伝送される。ＲＦモジュール４２０は複数のハードウェア装置も含み、無線周波数変換を実行する。たとえば、ＲＦモジュール４２０はミキサーを含んで、無線通信ネットワークの無線周波数で発振するキャリアにより、ベースバンド信号を多重化し、無線周波数は、ＧＳＭ／ＧＰＲＳ／ＥＤＧＥネットワークに用いられる900MHz、1800MHzまたは1900MHz、或いは、ＷＣＤＭＡネットワークに用いられる900MHz、1900MHzまたは2100MHz、あるいは、無線アクセス技術(ＲＡＴ)に基づく。図４に示されるように、加入者身分証明書１０と２０は、それぞれ、ＭＳ４００の二個のソケットに挿入される。ＭＳ４００は、さらに、ベースバンドチップ４１０および加入者身分証明書１０と２０間に結合または接続されるデュアルカードコントローラー４４０を含む。デュアルカードコントローラー４４０は、パワーマネジメントＩＣ(PMIC)(図示しない)とバッテリー(図示しない)による要求にしたがって、同じまたは異なる電圧レベルで、加入者身分証明書１０と２０をオンにし、初期化期間中に、各加入者身分証明書電圧レベルが決定される。ベースバンドチップ４１０は、加入者身分証明書１０と２０のひとつからデータを読み取り、デュアルカードコントローラー４４０により、データを加入者身分証明書１０と２０のひとつに書き込む。このほか、ベースバンドチップ４１０により発令される指令に従って、デュアルカードコントローラー４４０は、選択的に、クロック、リセットおよび／またはデータ信号を加入者身分証明書１０と２０に転送する。加入者身分証明書１０と２０は、ベースバンドチップ４１０によりサポートされる無線通信技術に対応する２個の（Ｕ）ＳＩＭカードである。これにより、ＭＳ４００は、挿入された加入者身分証明書１０と２０の同じネットワークオペレータまたは異なるネットワークオペレータにより提供さ���る二個のセル上に同時に位置することができ、単一ＲＦモジュール４２０とベースバンドチップ４１０を用いることにより、異なるモード、たとえば、専用のモードおよびアイドルモードで操作する。このほか、ＭＳ４００は、ユーザーインターフェース装置４５０を有して、ユーザーにユーザーインターフェースを提供し、キーボード、タッチパネル、タッチスクリーン、ジョイスティック、マウスおよび／またはスキャナーを含むＭＳ４００と作用する。ＰＳデータサービス中、たとえば、ウェブ閲覧中、ユーザーインターフェース装置４５０は、タッチスクリーン上にウェブコンテンツを表示し、ユーザーは、タッチスクリーン上で、下方/上方/左方向/右方向に滑らせることにより、表示されるコンテンツを閲覧する。
【００１４】
また、図５は、本発明の別の具体例によるＭＳのハードウェアアーキテクチャを説明する図である。図４と同様、ベースバンドチップ５１０は、ベースバンドシグナリング処理、たとえば、ＡＤＣ/ＤＡＣ、利得調整、変調／復調、符号／復号等を実行し、プロセッサ論理を含んで、多重無線通信技術に従った無線通信の機能性を提供し、本発明で提案されるようなシェアされるアンテナを備えた無線通信装置でサポートされる多重無線通信技術に関連するチャネル活性を制御する方法を提供する。しかし、ＭＳ５００から加入者身分証明書１０と２０への接続は、ベースバンドチップ５１０中に提供される２個のインターフェース(I/F)により独立して処理される。理解できることは、図４または図５に示されるハードウェアアーキテクチャは修正されて、２個の以上の加入者身分証明書を含み、本発明は、これに限定されないことである。
【００１５】
図６は、本発明のさらにまた別の具体例によるＭＳのハードウェアアーキテクチャのブロック図である。例のハードウェアアーキテクチャは、ＧＳＭ／ＧＰＲＳ／ＥＤＧＥとＷＣＤＭＡ技術両方を利用するあらゆるＭＳに適用される。例のハードウェアアーキテクチャにおいて、２個の無線アクセス技術(ＲＡＴ)モジュール６１０と６２０はアンテナ６３０をシェアする。各ＲＡＴモジュールは、すくなくともＲＦモジュールとベースバンドチップを含み、スタンバイモード、アイドルモードまたは接続モードで操作する。当業者は、もうひとつの方法として、コモンＲＦモジュールをシェアする２個以上のベースバンドチップを実施し、これにより、コモンＲＦモジュールとひとつの対応するベースバンドチップの回路の部分が一ＲＡＴモジュールを形成することができ、本発明はこれに限定されない。図６に示されるように、ＧＳＭ／ＧＰＲＳ／ＥＤＧＥベースバンドチップ６１１はＧＳＭ／ＧＰＲＳ／ＥＤＧＥ ＲＦモジュール６１２に結合され、ＷＣＤＭＡベースバンドチップ６２１はＷＣＤＭＡ ＲＦモジュール６２２に結合される。このほか、特定モードで操作する時、各ＲＡＴモジュールは、特定の加入者身分証明書、たとえば、（Ｕ）ＳＩＭ ＡまたはＢと相互作用する。スイッチング装置６４０は、シェアされるアンテナ６３０と複数の低雑音増幅器(ＬＮＡ)間に結合され、アンテナ６３０と一ＬＮＡを接続して、ＲＦ信号が接続されたＬＮＡを通過できるようにする。各ＬＮＡは、シェアされるアンテナ６３０により受信される2G/3Gバンド中の信号を増幅し、信号を対応するＲＦモジュールに提供し、2G/3Gバンドは900MHz、1800MHz、1900MHzバンドまたは2100MHzバンドである。一旦、ベースバンドモジュールのひとつが、送受信活性、たとえば、伝送(ＴＸ)または受信(RX)活性の実行を試みると、制御信号Ctrl_GSM_band_selまたはCtrl_WCDMA_band_selを発し、スイッチング装置６４０に、シェアされるアンテナ６３０と指定されたＬＮＡを接続するように指示する。注意すべきことは、ＧＳＭ／ＧＰＲＳ／ＥＤＧＥベースバンドチップ６１１とＷＣＤＭＡベースバンドチップ６２１は、さらに、接続されて、本発明で提案されるような多重無線通信技術に関連するチャネル活性の制御を実行することである。理解できることは、ＧＳＭ／ＧＰＲＳ／ＥＤＧＥモジュール６１０とＷＣＤＭＡモジュール６２０が例とされ、それらは、その他の無線通信技術、たとえば、ＣＤＭＡ２０００技術、ＴＤ-ＳＣＤＭＡ技術、ＬＴＥ技術、ＬＴＥ-アドバンスト技術およびＷｉＭＡＸ技術等を用いた無線通信モジュールにより代替できることである。このほか、図６に示されるハードウェアアーキテクチャは改良されて、二個以上の加入者身分証明書を含み、本発明は、これに限定されない。
【００１６】
図７Ａと図７Ｂは、ＷＣＤＭＡネットワーク中のＰＳデータサービスを初期化する工程の流れを説明する図である。ＰＳデータサービスは、マルチメディアメッセージングサービス(ＭＭＳ)、インスタントメッセージサービス(ＩＭＳ)、ファイル転送プロトコル(ＦＴＰ)によるファイル転送、ウェブ閲覧等である。ＭＳのＳＩＭカードのひとつがＰＳデータサービスに要求する時、ＭＳは、接続構築工程を実行して、ＳＩＭカードにより、ＷＣＤＭＡネットワークと接続を構築する必要がある。接続構築工程期間中、ＭＳは、まず、ＢＣＣＨ上で放送されるシステム情報を読み取り、システム情報に従って、要求メッセージ(図７Ａ中のRRC_CON_REQ)を伝送して、ＷＣＤＭＡネットワークとの接続を構築する。要求メッセージは、ユーザー装置（User Equipment、ＵＥ)身分と構築要因を含む。要求メッセージに応答して、ＷＣＤＭＡネットワークの無線ネットワークコントローラー(ＲＮＣ)は、接続構築に要求されるパラメータを含む応答メッセージ(図７Ａ中のRRC_CON_SETUP)でＭＳに答える。応答メッセージの受信時、ＭＳは、配置情報を用いて、ＷＣＤＭＡネットワークへの接続を構築し、確認メッセージ(図７Ａ中のRRC_CON_SETUP_COM)をＲＮＣに伝送する。確認メッセージは、知られているＷＣＤＭＡネットワークのUE能力情報を含む。接続構築後、ＭＳは、さらに、サービス要求(図７Ａ中のGMM:SERVICE_REQ)を、ＷＣＤＭＡネットワークのサービスＧＰＲＳサポートノード(ＳＧＳＮ)に伝送する。特に、サービス要求は、まず、ＲＲＣメッセージ(図７Ａ中のRRC:INIT_DIR_TRAN)により、ＲＮＣに伝送され、その後、非アクセス層(ＮＡＳ)メッセージ(図７Ａ中のRANAP:INIT_UE_MSG)により、ＳＧＳＮに転送される。
【００１７】
続いて、ＷＣＤＭＡネットワークが、あらゆるサービスをＭＳに提供することが出来る前に、ＷＣＤＭＡネットワークは、ＭＳにそれ自身を認証するよう要求する。ＳＧＳＮは、認証トークンと乱数を含む認証要求(図７Ａ中のGMM:AUTH_CIPHER_REQ)をＭＳに伝送する。特に、認証要求は、まず、ＮＡＳメッセージ(図７Ａ中のRANAP:DIR_TRAN)により、ＲＮＣに伝送され、ＲＲＣメッセージ(図７Ａ中のRRC:DL_DIR_TRAN)により、ＭＳに転送される。認証要求受信時、ＭＳは、受信された認証トークンと乱数に基づいて、適切な応答(ＲＥＳ)を計算し、その後、認証応答(図７Ａ中のGMM:AUTH_CIPHER_RESP)中のＲＥＳをＳＧＳＮに伝送する。特に、認証応答は、まず、ＲＲＣメッセージ(図７Ａ中のRRC:UL_DIR_TRAN)によりＲＮＣに伝送され、その後、ＮＡＳメッセージ(図７Ａ中のRANAP:DIR_TRAN)によりＳＧＳＮに転送される。次に、ＳＧＳＮはＲＥＳを検証し、ＲＥＳが正確な場合、ＭＳが認証され、ＷＣＤＭＡネットワークにアクセスするのを許可する。その後、ホームロケーションレジスタ(ＨＬＲ)または在圏ロケーションレジスタ(ＶＬＲ)は、まず、ＳＧＳＮからＲＮＣに伝送されるセキュリティモードコマンドを用いて、ＮＡＳメッセージ(図７Ａ中のRANAP:SEC_MOD_CMD)により、暗号化と完全性保護を開始するよう、ＲＮＣとＭＳに命令し、その後、ＲＲＣメッセージ(図７Ａ中のRRC:SEC_MOD_CMD)により、ＭＳに転送される。暗号化と完全性保護にとって、完全性保護は強制的で、暗号化は任意で、暗号化と完全性保護に用いられるアルゴリズムは所定で、ＭＳとＭＳＣ/ＶＬＲ両方に知られ、それらの間で共通するものだけが適用される。セキュリティモードコマンドの受信時、暗号化と完全性保護に要求されるパラメータを配置することにより、ＭＳがセキュリティモードに進入し、ＲＲＣメッセージ(図７Ａ中のRRC:SEC_MOD_COM)により、まず、ＲＮＣに伝送されるセキュリティモード応答で、ＳＧＳＮに答え、ＮＡＳメッセージ(図７Ｂ中のRANAP:SEC_MOD_COM)により、ＳＧＳＮに転送される。
【００１８】
ＭＳとＲＮＣが共にセキュリティモード中に配置される時、ＭＳは、さらに、パケットデータプロトコル(ＰＤＰ)コンテクスト活性化工程を初期化して、ＰＤＰコンテクストを生成して、ＭＳとＷＣＤＭＡネットワークがＰＳデータサービスのＩＰパケットを変換できるパケットデータ接続を提供する。ＭＳは、ＰＤＰコンテクスト起動要求(図７Ｂ中のSM:ACT_PDP_CNTX_REQ)をＳＧＳＮに伝送し、これは、まず、ＲＲＣメッセージ(図７Ｂ中のRRC:UL_DIR_TRAN)により、ＲＮＣに伝送された後、ＮＡＳメッセージ(図７Ｂ中のRANAP:DIR_TRAN)により、ＳＧＳＮに転送される。ＰＤＰコンテクスト起動要求に応答し、ＳＧＳＮは、ＰＳデータサービスのサービス品質(ＱｏＳ)、トランスポートアドレスおよびIu輸送機関等を含むＲＡＢ割り当て要求(図７Ｂ中のRANAP:RAB_ASS_REQ)を用いて、ＲＮＣと、無線アクセスベアラー(ＲＡＢ)の構築を初期化する。その後、ＲＮＣは、新しいＲＢを加える配置を含む無線ベアラー(ＲＢ)設定要求(図７Ｂ中のRRC:RADIO_BEARER_SETUP)をＭＳに伝送する。ＲＢ設定要求を受信時、ＭＳは新しいＲＢを構築し、その後、ＲＢ設定確認(図７Ｂ中のRRC:RADIO_BEARER_SETUP_COM)により、ＲＮＣに返信し、これにより、ＲＢ設定確認の受信時、ＲＮＣは、さらに、ＲＡＢ割り当て応答(図７Ｂ中のRANAP:RAB_ASS_RESP)をＳＧＳＮに伝送する。一旦、ＲＢが正確に構築されると、ＳＧＳＮはＰＤＰコンテクスト活性化反応(図７Ｂ中のSM:ACT_PDP_CNTX_ACC)をＭＳに伝送し、ＰＤＰコンテクスト活性化反応は、まず、ＮＡＳメッセージ(図７Ｂ中のRANAP:DIR_TRAN)により、ＲＮＣに伝送され、ＲＲＣメッセージ(図７Ｂ中のRRC:DL_DIR_TRAN)によりＭＳに転送される。ＭＳがＰＤＰコンテクスト活性化反応を受信する時、パケットデータ接続がＰＳデータサービスに構築され、工程が無事に終了する。
【００１９】
特に、ＭＳがＰＤＰコンテクスト活性化反応を受信する時、ＳＩＭカードに関連するベースバンドモジュールはパケット転送モード(ＰＴＭ)(ＰＴＭ ＳＩＭと称する)に進入し、ＷＣＤＭＡネットワークによりＩＰパケットデータを送受信し、別のＳＩＭカードは、バーチャルアイドルモード(仮想ＳＩＭと称する)に進入することだけを推し進める。バーチャルアイドルモードに入る前、ＰＴＭ ＳＩＭにより用いられる同じベースバンドモジュールまたは異なるベースバンドモジュールは、まず、公衆陸上移動網(ＰＬＭＮ)サーチ工程を実行して、適切なセルを配置することが要求され、別のアイドルモード関連活性、たとえば、ページングチャネル監視およびセル再選択の隣接セルの電力測定が後に実行される。一具体例中、ＰＴＭ ＳＩＭのＰＳデータサービスは、ある時間周期(すなわち、トランシーバＩＰパケットデータに割り当てられる時間スロットを犠牲にする)休止し、ＰＬＭＮサーチ工程と仮想ＳＩＭの別のアイドルモード関連活性を実行する。別の具体例において、ＰＬＭＮサーチ工程と仮想ＳＩＭの別のアイドルモード関連活性は、ＰＴＭ ＳＩＭにより用いられない時間スロットで実行される。
【００２０】
図８は、本発明の具体例によるＧＳＭ／ＧＰＲＳ／ＥＤＧＥ技術中の２Ｇ ＰＬＭＮサーチ工程の基本操作を示す図である。２Ｇ電力スキャン操作により、２Ｇ ＰＬＭＮサーチ工程を開始して、２Ｇバンドで、よい信号品質を有する一つ以上のポテンシャルまたは適切なセルを配置する。電力スキャン操作が、ＧＳＭ／ＧＰＲＳ／ＥＤＧＥ周波数(すなわち、全帯域電力スキャン)の可能な限りのあらゆるＲＦチャネル、または、メモリまたはストレージデバイス(すなわち、保存リスト電源スキャン)で指示および保存されるセルリストに記録されるＧＳＭ／ＧＰＲＳ／ＥＤＧＥ周波数の指定されたＲＦチャネルだけに、または、特定のＧＳＭ／ＧＰＲＳ／ＥＤＧＥ周波数バンドに実行される。２Ｇ電力スキャン操作(たとえば、受信信号レベルRXLREV)の結果に基づいて、２Ｇセルサーチ操作が、その後、最高の信号品質を有するセルに実行されて、周波数補正チャネル(ＦＣＣＨ)の存在に対し各キャリアを調査し、スロット同期、フレーム同期と暗号文字群識別およびスクランブリングコード識別の工程を含む。スロット同期に対し、仮想ＳＩＭに関連するベースバンドモジュールは、同期チャネル(ＳＣＨ)のプライマリー同期コードを用いて、セルとのスロット同期を達成する。ＦＣＣＨバースト(ＦＣＢ)はオールゼロシーケンスで、ＲＦモジュールを有効にする固定トーンを生成し、その局部発振器をＢＳのクロックにロックし、ＦＣＢの存在は、キャリアをＢＣＣＨキャリアとして識別し、同期する。仮想ＳＩＭに関連するベースバンドモジュールは、その後、ＦＣＢに続くＳＣＨの同期バースト(ＳＢ)を用い、これは、長いトレーニング系列を有し、周波数補正とタイミング同期をうまく調整する。スロット同期は、全セルに共通するプライマリー同期コードと適合する単一適合フィルター(または類似の装置)により達成される。セルのスロットタイミングは、適合フィルターアウトプット中のピークを検出することにより得られる。フレーム同期と暗号文字群識別工程において、ＭＳは、ＳＣＨのセカンダリー同期コードを用いて、ＭＳとセル間のフレーム同期を決め、前段階で見つけられたセルの暗号文字群を識別する。
【００２１】
２Ｇ電力スキャン操作と２Ｇセルサーチ操作の完成後、仮想ＳＩＭに関連するベースバンドモジュールは、ＢＳＩＣに従い、node-B上のセルのフレーミングとタイミングを識別する。その後、ひとつ以上のシステム情報(ＳＩ)メッセージがブロードキャストコントロールチャネル(ＢＣＣＨ)上で確保される。異なるＳＩメッセージは、異なる特徴、たとえば、ＳＩメッセージ繰り返し率、ＭＳの要求に関する特徴を有し、放送されるシステム情報、および、選択されたセルとその隣接セルのチャネル配置を読み取る。次に、仮想ＳＩＭに関連するベースバンドモジュールは、トラフィックチャネル(ＴＣＨ)により、２Ｇ位置更新工程を実行して、ＭＳの位置のＧＳＭ／ＧＰＲＳ／ＥＤＧＥネットワークに通知する。２Ｇ位置更新工程が無事終了する場合、ＭＳはセル上に位置して、サービングセルとなり、仮想ＳＩＭはバーチャルアイドルモードに進入する。
【００２２】
図９は、本発明の具体例によるＷＣＤＭＡ技術中３Ｇ ＰＬＭＮサーチ工程の基本操作を示す図である。３Ｇ ＰＬＭＮサーチ工程は、ＭＳが電源オンになった後、または、ユーザーによりトリガーされるマニュアルＰＬＭＮサーチの期間に生じる。ＷＣＤＭＡ技術中の３Ｇ ＰＬＭＮサーチ工程が始まる時、ベースバンドチップ、たとえば、ＷＣＤＭＡベースバンドチップ６２１は、ＲＦモジュール、たとえば、ＷＣＤＭＡ ＲＦモジュール６２２に指示して、３Ｇ電力スキャン操作を実行し、３Ｇバンド中のよい信号品質を有するひとつ以上のポテンシャルセルを配置する。よい信号品質というのは、信号強度がスレショルドより大きいことを意味する。ベースバンドチップは、可能な限りのあらゆるＲＦチャネルにフル電力スキャンを実施するか、または、セルリストに記録される指定されたＲＦチャネルをスキャンし、ＲＦチャネルは、メモリまたはストレージデバイスで指示および保存され、または、特定のＷＣＤＭＡバンドをスキャンする。３Ｇ電力スキャンの結果に基づいて、３Ｇセルサーチ工程が最高の信号品質を有するセルに実施され、スロット同期、フレーム同期と暗号文字群識別およびスクランブリングコード識別のステップを含む。スロット同期に対し、ＭＳは、ＳＣＨのプライマリー同期コードを用いて、セルとのスロット同期を達成する。スロット同期は、全セルに共通するプライマリー同期コードと適合する単一適合フィルター(または類似の装置)により達成される。セルのスロットタイミングは、適合フィルターアウトプットのピークを検出することにより得られる。フレーム同期と暗号文字群識別工程期間中、ＭＳは、ＳＣＨのセカンダリー同期コードを用いて、ＭＳとセル間のフレーム同期を決め、前段階で見つけられたセルの暗号文字群を識別する。フレーム同期は、可能な限りのあらゆるセカンダリー同期コードシーケンスと、受信信号を関連付けることにより達成され、最大相関値を識別する。シーケンスの循環シフトが特有なので、暗号文字群とフレーム同期が決定される。スクランブリングコード識別工程期間、ＭＳは、セルにより用いられる正確なプライマリースクランブリングコード(ＰＳＣ)を決定する。プライマリースクランブリングコードは、通常、前段階で識別される暗号文字群中の全コードを有する共通パイロットチャネル(ＣＰＩＣＨ)で、シンボルバイシンボル相関(symbol-by-symbol correlation)により識別される。ＰＳＣの識別後、プライマリー共通制御用物理チャネル(ＣＣＰＣＨ)が検出され、セル特定ＢＣＣＨ情報が読み取られる。
【００２３】
３Ｇ電力スキャン操作と３Ｇセルサーチ工程の完成後、ベースバンドチップは、ＲＦモジュールにＳＦＮに従うよう指示し、node-B上のセルのフレーミングとタイミングを識別する。その後、一つ以上のシステム情報ブロック(SIBs)が読み取られ、同質のシステム情報要素を一緒に集める。異なるＳＩＢは、異なる特徴、たとえば、ブロック繰り返し率とＭＳの要求に関する特徴を有し、ＳＩＢを読み取る。メモリまたはストレージデバイス中のセルのＳＩＢの収集と保存終了後、ベースバンドチップは、専用チャネル(ＤＣＨ)により、３Ｇ位置更新工程を実行し、その位置のセルラーネットワークに通知し、セルをサービングセルとして配置する。一旦、ＭＳがその位置をセルラーネットワークにうまく報告すると、３Ｇ ＰＬＭＮサーチ工程が完成する。
【００２４】
注意すべきことは、本発明において、ＭＳがオンになるかまたは飛行モードを離れる時、訪問領域(たとえば、ＭＳ中の（Ｕ）ＳＩＭが属する母国と異なる国家)で、サポートされる無線通信技術が決定され、その後、訪問領域でサポートされない無線通信技術に関連するチャネル活性を失活させ、サポートされない無線通信技術に関する正常なサービス回復は、別の無線通信技術に関するＣＳまたはＰＳデータ送受信を中断せず、これにより、ある状況(特に、ＭＳがスリープモードに進入する時)で、バッテリー電源消耗が減少することである。
【００２５】
図１０Ａと図１０Ｂは、本発明の具体例によるコモン無線リソースをシェアする複数の無線通信技術に関連するチャネル活性を制御する方法を説明するフローチャートである。本方法は、メモリ装置中に保存される関連データ構造を有するソフトウェアコードで実施される。ソフトウェアコードがロードされ、ベースバンドチップのプロセッサにより実行される時、フローチャートに記載される操作が実施される。まず、ＭＳは、一ＳＩＭが位置する一無線通信技術Xに関連するサービスネットワークのセル中で放送されるシステム情報から、エリアコード、たとえば、モービル国別コード(ＭＣＣ)を獲得することを試み(工程Ｓ１００１)、その後、有効なエリアコードがうまく入手できたか判断する(工程Ｓ１００２)。無線通信技術Xで、有効なエリアコードが得られない場合、ＭＳは非サービス状態にあり、ＰＬＭＮサーチ工程を実行して、ＭＳがサポートする別の無線通信技術に関連する可能な限りのあらゆるサービスネットワークをサーチする(工程Ｓ１０１０)。次に、ＭＳは、サービスネットワークがサーチされたか、有効なエリアコードが得られたか判断し(工程Ｓ１０１１)、その場合、工程は、工程Ｓ１００４を開始する。そうでなければ、工程は工程Ｓ１０１０に戻り、さらにサーチする。工程Ｓ１００２で“はい”の後、ＭＳは、さらに、現在のエリアコードが変化したか判断する(工程Ｓ１００３)。サービスネットワークのセルで放送される得られたエリアコードが、ＭＳに保存されるエリアコードと異なる時、現在のエリアコードの変化が判断される。たとえば、ＭＣＣは、不揮発性メモリ、メモリカード、ＳＩＭカード等に保存されて、電源をオフにするまたは飛行モードに切り換わる前に留まる国家ＭＳを示す。現在のＭＣＣの変化は、ＭＳが、ある国から別の国に運ばれたことを意味する。現在のエリアコードが変化していない場合、たとえば、現在のＭＣＣはそのままで、その後、工程は終了し、無線通信技術の備えられた全モジュールに、元の配置を維持する。現在のエリアコードが変化した場合、ＭＳは、検出された領域(たとえば、国)で見つけられた無線通信技術のネットワークサポートサービス(ＮＳＳ)表を確認する(工程Ｓ１００４)。一具体例において、ＮＳＳ表は、一つ以上のサポートされる無線通信技術にそれぞれ関連する複数の国家のＭＣＣを記録する。例のＮＳＳ表は以下で示される。
2015008505.tif 000003
表１  ＮＳＳ表
例のＮＳＳ表は、ＭＣＣが466である台湾のサポートされる無線通信技術が、ＧＳＭ／ＧＰＲＳ／ＥＤＧＥ、ＷＣＤＭＡ、ＣＤＭＡ２０００およびＷｉＭＡＸで、ＭＣＣが440である日本のサポートされる無線通信技術が、ＷＣＤＭＡ、ＬＴＥおよびＷｉＭＡＸであることを記述し、各国にとって、サポートされる無線通信技術は○、そうでなければ、×を入れている。別の具体例において、ＮＳＳ表は修正されて、さらに明確に、一国家の各サービスネットワークを記述し、ＰＬＭＮ識別子(ＰＬＭＮ ＩＤ)により表示され、どの無線通信技術をサポートするかを表示し、ＰＬＭＮ ＩＤは、サービスネットワークのモバイルネットワークコード(ＭＮＣ)とサービスネットワークがある国のＭＣＣから構成される。ＮＳＳ表は、ＭＳのストレージユニット、たとえば、ビルトインメモリ(フラッシュメモリ、不揮発性ランダムアクセスメモリ(NVRAM等)、挿入されるメモリカード等で保存される。
【００２６】
工程Ｓ１００４の後、ＭＳにより用いられる一無線通信技術Yが、ＮＳＳ表に関し、検出された領域(たとえば、国家)で見つかるか判断し(工程Ｓ１００５)、その場合、ＭＳは、さらに、無線通信技術Yに関連するチャネル活性が現在失活しているか判断する(工程Ｓ１００６)。無線通信技術Yに関連するチャネル活性が失活する場合、ＭＳは、全ＳＩＭに対し、無線通信技術Yに関連するチャネル活性を復活させ(工程Ｓ１００７)、工程は工程Ｓ１００９に進み、そうでなければ、工程は、工程Ｓ１００９に進み、別の操作はない。理解できることは、ＳＩＭが無線通信技術Yのゲインサービスだけに許容される時、ＭＳは、一ＳＩＭに対し、全チャネル活性を無効にして、ＳＩＭとの通信、たとえば、周期的ポーリングを停止して、バッテリー電源をさらに節約することである。さらに、ＳＩＭにより用いられる全無線通信技術がその領域でサポートされない時、ＭＳは、一ＳＩＭの全チャネル活性を無効にし、ＳＩＭとの通信を停止する。一ＳＩＭが無線通信技術XとYのゲインサービスに許可される場合において、無線通信技術Yがこの領域でサポートされない場合、ＭＳは、無線通信技術Yに関連する全チャネル活性を除去する。工程Ｓ１００５で“いいえ”の後、ＭＳは、全ＳＩＭに、無線通信技術Yに関連するチャネル活性を失活させ(工程Ｓ１００８)、工程は工程Ｓ１００９を実行する。工程Ｓ１００９において、ＭＳにより用いられる無線通信技術X以外の全無線通信技術が十分に確認されたか判断する。その場合、工程は終了し、そうでなければ、工程Ｓ１００４に戻って、次の無線通信技術を確認する。よって、サポートされない無線通信技術に関連する正常なサービス回復は、別の無線通信技術と関連するＣＳまたはＰＳデータ送受信を中断せず、ある状態下(特に、ＭＳがスリープモードに進入する時)で、バッテリー電源消耗が減少する。正常なサービス回復は、定期的に工程を実行するのを支持し、これは、特定の無線通信技術に、可用なセルをサーチして位置させるのに用いられる。たとえば、従来は、ＭＳが、一ＳＩＭの特定の無線通信技術のセルがないことを検出後、正常なサービス回復は、出来る限り早く、定期的に、回復サービスを開始する。それは二分毎に実行されるか、または、サービスが回復するまで、スマートサーチ方式で実行される。スマートサーチ方式において、ＭＳは、前のスリープ期間を倍にして、目覚め、正常なサービス回復を実行する。
【００２７】
ある具体例において、工程Ｓ１００３が省略される。即ち、ＭＳは、エリア変化の追跡を維持する必要がなく、有効なエリアコードが得られるとき、常に、工程Ｓ１００４からＳ１００９までで構成されるループを実行する。
【００２８】
または、ＭＳが、２エリア(たとえば、国家)間の境界に接近することを検出する時、２エリアでサポートされる無線通信技術を決定し、その後、どちらでもサポートされない無線通信技術に関連するチャネル活性を失活させ、サポートされない無線通信技術に関連する正常なサービス回復は、別の無線通信技術に関連するＣＳまたはＰＳデータ送受信を中断しない。図１１は、本発明の別の具体例によるコモン無線リソースをシェアする複数の無線通信技術に関連するチャネル活性を制御する方法を示すフローチャートである。本方法は、関連データ構造を有するソフトウェアコードで実施され、関連データ構造は、ベースバンドチップのプロセッサによりロードおよび実行されて、以下の工程を実行する。まず、ＭＳは、２個の異なるエリアコード(たとえば、ＭＣＣ)を得る(工程Ｓ１１０１)。二個の異なるエリアコードは、一ＳＩＭが現在位置するサービングセルで放送されるシステム情報、および、隣接セルからそれぞれ得られる。または、一エリアコードは、メモリ装置またはストレージデバイスに保存され、最近進入した領域を示し、別のエリアコードは、一ＳＩＭが現在位置するサービングセルから得られる。２エリアコードの検出は、ＭＳが、２国家の境界にある、または、国から国へと横切ることを意味する。この状況下で、ＭＳはＮＳＳ表を確認し(工程Ｓ１１０２)、全ＳＩＭに対し、無線通信技術に関連するチャネル活性(現在移動する領域でサポートされないため失活された)を活性化する(Ｓ１１０３)。次に、２個のエリアコードのひとつが、もう、所定の期間で検出されないか判断し(工程Ｓ１１０４)、即ち、ＭＳが新しいエリアに進入し、境界から離れたかを検出する。その場合、ＭＳはＮＳＳ表を確認し(工程Ｓ１１０５)、全ＳＩＭに対し、無線通信技術に関連するチャネル活性(残りのエリアコードにより表示される新しいエリアで見つからない)を失活し(工程Ｓ１１０６)、その後、工程を終了する。工程Ｓ１１０６において、ＳＩＭにより用いられる全無線通信技術が新しいエリアでサポートされない時、ＭＳは、一ＳＩＭに対し、全チャネル活性を無効にし、ＳＩＭとの通信を停止する。そうでなければ、工程は工程Ｓ１１０４に戻る。
【００２９】
このほか、エリアのサポートされる無線通信技術が必ずしも不変でない場合、ＭＳは、チェックタイマーを維持して、周期的にＮＳＳ表を更新する所定期間をカウントする。一具体例において、所定の期間は、相対して長時間、たとえば、一日、一週間または一ヶ月以上に設定される。図１２は、本発明の具体例によるＮＳＳ表の定期的更新を説明するフローチャートである。定期的更新メカニズムは、ソフトウェアコードが、ベースバンドチップのプロセッサによりロードおよび実施される時、関連データ構造を有するソフトウェアコードで実施される。まず、チェックタイマーが期限切れか判断し(工程Ｓ１２０１)、その場合、ＭＳは、無線通信技術の任意の一つが失活したか判断する(工程Ｓ１２０２)。一つ以上無線通信技術が失活する場合、ＭＳは、失活した無線通信技術を用いて、全ての可用なサービスネットワークにネットワークリカバリーサーチを実行する(工程Ｓ１２０３)。続いて、失活した無線通信技術の一つを用いた一つ以上のサービスネットワークが検出されるか判断する(工程Ｓ１２０４)。その場合、ＭＳは、現在滞在しているエリアに、ＮＳＳ表の関連セルを更新する(工程Ｓ１２０５)。次に、ＭＳは、全ＳＩＭに対し、無線通信技術に関連する検出されたサービスネットワークに用いられるチャネル活性を再活性化し(工程Ｓ１２０６)、その後、チェックタイマーを再開始する(工程Ｓ１２０７)。工程Ｓ１２０２とＳ１２０４で“いいえ”の後、工程は、工程Ｓ１２０７に進み、チェックタイマーを再開する。理解できることは、本方法の主な目的は、ＮＳＳ表を更新することで、正常なサービス回復とは異なることである。
【００３０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００３１】
３００  無線通信環境
３１０  移動局（ＭＳ）
３２０、３３０  サービスネットワーク
４００  ＭＳ
４１０  ベースバンドチップ
４２０  ＲＦモジュール
４３０  アンテナ
４４０  デュアルカードコントローラー
４５０  ユーザーインターフェース装置
１０、２０  加入者身分証明書
５００  ＭＳ
５１０  ベースバンドチップ
６１０、６２０  無線アクセス技術(ＲＡＴ)モジュール
６３０  アンテナ
６４０  スイッチング装置
６１１  ＧＳＭ／ＧＰＲＳ／ＥＤＧＥベースバンドチップ
６１２  ＧＳＭ／ＧＰＲＳ／ＥＤＧＥ ＲＦモジュール
６２１  ＷＣＤＭＡベースバンドチップ
６２２  ＷＣＤＭＡＲＦモジュール
【図１】
2015008505.tif 000004
【図２】
2015008505.tif 000005
【図３】
2015008505.tif 000006
【図４】
2015008505.tif 000007
【図５】
2015008505.tif 000008
【図６】
2015008505.tif 000009
【図７Ａ】
2015008505.tif 000010
【図７Ｂ】
2015008505.tif 000011
【図８】
2015008505.tif 000012
【図９】
2015008505.tif 000013
【図１０Ａ】
2015008505.tif 000014
【図１０Ｂ】
2015008505.tif 000015
【図１１】
2015008505.tif 000016
【図１２】
2015008505.tif 000017